【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
アノードおよびカソードを有する発光素子と、画素回路とを画素ごとに有する表示部と、
映像信号に基づいて前記画素回路を駆動する駆動部と
を備え、
前記画素回路は、第１トランジスタと、第２トランジスタと、保持容量とを有し、
前記駆動部は、第１駆動部と、第２駆動部と、第３駆動部と、制御部と、第１配線と、第２配線と、第３配線と、参照電圧に設定される第４配線とを有し、
前記第１トランジスタのゲートが前記第１配線を介して前記第１駆動部に接続され、
前記第１トランジスタのドレインまたはソースが前記第３配線を介して前記第３駆動部に接続され、
前記第１トランジスタのドレインおよびソースのうち前記第３駆動部に未接続の方が前記第２トランジスタのゲートおよび前記保持容量の一端に接続され、
前記第２トランジスタのドレインまたはソースが前記第２配線を介して前記第２駆動部に接続され、
前記第２トランジスタのドレインおよびソースのうち前記第２駆動部に未接続の方が前記保持容量の他端および前記発光素子のアノードに接続され、
前記発光素子のカソードが前記第４配線に接続され、
前記第１駆動部は、前記第１トランジスタのオン電圧よりも低い第１電圧と、前記第１トランジスタのオン電圧以上の第２電圧とを前記第１配線に選択的に出力するものであり、
前記第２駆動部は、前記発光素子の閾値電圧と前記参照電圧との和よりも低い第３電圧と、前記発光素子の閾値電圧と前記参照電圧との和以上の第４電圧とを前記第２配線に選択的に出力するものであり、
前記第３駆動部は、前記映像信号に依存しない固定の第５電圧と、前記映像信号に応じた大きさの第６電圧とを前記第３配線に選択的に出力するものであり、
前記制御部は、前記第１駆動部に対して、前記第２配線の電圧が前記第３電圧となっている消光期間中において前記第３配線の電圧が前記第５電圧となっている時に、前記第１配線の電圧を前記第１電圧から前記第２電圧に上げたのちに前記第２電圧から前記第１電圧に下げることにより、前記第１トランジスタのオン期間を設けることを指示する制御信号を出力する
表示装置。
【請求項２】
前記制御部は、前記第１駆動部、前記第２駆動部および前記第３駆動部に対して、以下の（Ａ）〜（Ｃ）の各ステップを順次実行することを指示する制御信号を出力する
請求項１に記載の表示装置。
（Ａ）前記第３配線の電圧が前記第５電圧となっている時に、前記第２駆動部が前記第２配線の電圧を前記第４電圧から前記第３電圧に下げる消光ステップ
（Ｂ）前記消光期間中において前記第３配線の電圧が前記第５電圧となっている時に、前記第１駆動部によって前記オン期間を設けると共に、その後、前記第２配線の電圧が前記第３電圧となっており、かつ前記第３配線の電圧が前記第５電圧となっている時に、前記第１駆動部が前記第１配線の電圧を前記第１電圧から前記第２電圧に上げるＶｔｈ補正準備ステップ
（Ｃ）前記第２配線の電圧が前記第４電圧となっており、かつ前記第３配線の電圧が前記第５電圧および前記第６電圧のいずれかの電圧値に規則的に変化している時に、前記第１駆動部が、前記第１配線の電圧を前記第１電圧および前記第２電圧のいずれかの電圧値に規則的に変化させるＶｔｈ補正・発光ステップ
【請求項３】
前記制御部は、前記第１駆動部に対して、前記オン期間が設けられる回数および前記オン期間の長さのうちの少なくとも一方を調整しつつ、前記制御信号を出力する
請求項１または請求項２に記載の表示装置。
【請求項４】
前記発光素子が、有機ＥＬ素子である
請求項１に記載の表示装置。
【請求項５】
表示装置を備え、
前記表示装置は、
アノードおよびカソードを有する発光素子と、画素回路とを画素ごとに有する表示部と、
映像信号に基づいて前記画素回路を駆動する駆動部と
を有し、
前記画素回路は、第１トランジスタと、第２トランジスタと、保持容量とを有し、
前記駆動部は、第１駆動部と、第２駆動部と、第３駆動部と、制御部と、第１配線と、第２配線と、第３配線と、参照電圧に設定される第４配線とを有し、
前記第１トランジスタのゲートが前記第１配線を介して前記第１駆動部に接続され、
前記第１トランジスタのドレインまたはソースが前記第３配線を介して前記第３駆動部に接続され、
前記第１トランジスタのドレインおよびソースのうち前記第３駆動部に未接続の方が前記第２トランジスタのゲートおよび前記保持容量の一端に接続され、
前記第２トランジスタのドレインまたはソースが前記第２配線を介して前記第２駆動部に接続され、
前記第２トランジスタのドレインおよびソースのうち前記第２駆動部に未接続の方が前記保持容量の他端および前記発光素子のアノードに接続され、
前記発光素子のカソードが前記第４配線に接続され、
前記第１駆動部は、前記第１トランジスタのオン電圧よりも低い第１電圧と、前記第１トランジスタのオン電圧以上の第２電圧とを前記第１配線に選択的に出力するものであり、
前記第２駆動部は、前記発光素子の閾値電圧と前記参照電圧との和よりも低い第３電圧と、前記発光素子の閾値電圧と前記参照電圧との和以上の第４電圧とを前記第２配線に選択的に出力するものであり、
前記第３駆動部は、前記映像信号に依存しない固定の第５電圧と、前記映像信号に応じた大きさの第６電圧とを前記第３配線に選択的に出力するものであり、
前記制御部は、前記第１駆動部に対して、前記第２配線の電圧が前記第３電圧となっている消光期間中において前記第３配線の電圧が前記第５電圧となっている時に、前記第１配線の電圧を前記第１電圧から前記第２電圧に上げたのちに前記第２電圧から前記第１電圧に下げることにより、前記第１トランジスタのオン期間を設けることを指示する制御信号を出力する
電子機器。
【請求項６】
アノードおよびカソードを有する発光素子と、第１トランジスタ、第２トランジスタおよび保持容量を有する画素回路とを画素ごとに有する表示部と、映像信号に基づいて前記画素回路を駆動する駆動部とを設け、
前記第１トランジスタのゲートを第１配線に接続すると共に、ドレインおよびソースのうちの一方を第３配線に接続し、他方を前記第２トランジスタのゲートおよび前記保持容量の一端に接続し、
前記第２トランジスタのドレインおよびソースのうちの一方を第２配線に接続し、他方を前記保持容量の他端および前記発光素子のアノードに接続し、
前記発光素子のカソードを、参照電圧に設定された第４配線に接続し、
前記第１トランジスタのオン電圧よりも低い第１電圧と、前記第１トランジスタのオン電圧以上の第２電圧とを、前記第１配線に選択的に印加し、
前記発光素子の閾値電圧と前記参照電圧との和よりも低い第３電圧と、前記発光素子の閾値電圧と前記参照電圧との和以上の第４電圧とを、前記第２配線に選択的に印加し、
前記映像信号に依存しない固定の第５電圧と、前記映像信号に応じた大きさの第６電圧とを、前記第３配線に選択的に印加し、
前記第２配線の電圧が前記第３電圧となっている消光期間中において前記第３配線の電圧が前記第５電圧となっている時に、前記第１配線の電圧を前記第１電圧から前記第２電圧に上げたのちに前記第２電圧から前記第１電圧に下げることにより、前記第１トランジスタのオン期間を設ける
表示装置の駆動方法。
【請求項７】
第１電源線と第２電源線との間に直列に接続された発光素子および第１トランジスタと、
前記第１トランジスタのゲート−ソース間に挿設された容量素子と、
映像信号が印加される信号線と前記第１トランジスタのゲートとの間に挿設され、走査信号によってオンオフ制御される第２トランジスタと
を画素ごとに備え、
前記発光素子が消光状態にあり、かつ前記信号線に前記映像信号が印加されていない期間内に、前記第１トランジスタのオン期間を設けるようにした
表示装置。
【手続補正２】
【補正対象書類名】明細書
【補正対象項目名】００１３
【補正方法】変更
【補正の内容】
【００１３】
本発明の第１の表示装置は、アノードおよびカソードを有する発光素子と画素回路とを画素ごとに有する表示部と、映像信号に基づいて画素回路を駆動する駆動部とを備えたものである。ここで、上記画素回路は、第１トランジスタと、第２トランジスタと、保持容量とを有し、上記駆動部は、第１駆動部と、第２駆動部と、第３駆動部と、制御部と、第１配線と、第２配線と、第３配線と、参照電圧に設定される第４配線とを有している。また、第１トランジスタのゲートが第１配線を介して第１駆動部に接続され、第１トランジスタのドレインまたはソースが第３配線を介して第３駆動部に接続され、第１トランジスタのドレインおよびソースのうち第３駆動部に未接続の方が第２トランジスタのゲートおよび保持容量の一端に接続され、第２トランジスタのドレインまたはソースが第２配線を介して第２駆動部に接続され、第２トランジスタのドレインおよびソースのうち第２駆動部に未接続の方が保持容量の他端および発光素子のアノードに接続され、発光素子のカソードが第４配線に接続されている。また、第１駆動部は、第１トランジスタのオン電圧よりも低い第１電圧と、第１トランジスタのオン電圧以上の第２電圧とを第１配線に選択的に出力するものとなっている。また、第２駆動部は、発光素子の閾値電圧と参照電圧との和よりも低い第３電圧と、発光素子の閾値電圧と参照電圧との和以上の第４電圧とを第２配線に選択的に出力するものとなっている。また、第３駆動部は、映像信号に依存しない固定の第５電圧と、映像信号に応じた大きさの第６電圧とを第３配線に選択的に出力するものとなっている。また、制御部は、第１駆動部に対して、第２配線の電圧が第３電圧となっている消光期間中において第３配線の電圧が第５電圧となっている時に、第１配線の電圧を第１電圧から第２電圧に上げたのちに第２電圧から第１電圧に下げることにより、第１トランジスタのオン期間を設けることを指示する制御信号を出力するようになっている。
本発明の第２の表示装置は、第１電源線と第２電源線との間に直列に接続された発光素子および第１トランジスタと、第１トランジスタのゲート−ソース間に挿設された容量素子と、映像信号が印加される信号線と第１トランジスタのゲートとの間に挿設され、走査信号によってオンオフ制御される第２トランジスタとを画素ごとに備え、発光素子が消光状態にあり、かつ信号線に映像信号が印加されていない期間内に、第１トランジスタのオン期間を設けるようにしたものである。
【手続補正３】
【補正対象書類名】明細書
【補正対象項目名】００１４
【補正方法】変更
【補正の内容】
【００１４】
本発明の電子機器は、上記本発明の第１または第２の表示装置を備えたものである。
【手続補正４】
【補正対象書類名】明細書
【補正対象項目名】００１５
【補正方法】変更
【補正の内容】
【００１５】
本発明の表示装置の駆動方法は、アノードおよびカソードを有する発光素子と、第１トランジスタ、第２トランジスタおよび保持容量を有する画素回路とを画素ごとに有する表示部と、映像信号に基づいて画素回路を駆動する駆動部とを設け、第１トランジスタのゲートを第１配線に接続すると共に、ドレインおよびソースのうちの一方を第３配線に接続し、他方を第２トランジスタのゲートおよび保持容量の一端に接続し、第２トランジスタのドレインおよびソースのうちの一方を第２配線に接続し、他方を保持容量の他端および発光素子のアノードに接続し、発光素子のカソードを、参照電圧に設定された第４配線に接続し、第１トランジスタのオン電圧よりも低い第１電圧と、第１トランジスタのオン電圧以上の第２電圧とを、第１配線に選択的に印加し、発光素子の閾値電圧と参照電圧との和よりも低い第３電圧と、発光素子の閾値電圧と参照電圧との和以上の第４電圧とを、第２配線に選択的に印加し、映像信号に依存しない固定の第５電圧と、映像信号に応じた大きさの第６電圧とを、第３配線に選択的に印加し、第２配線の電圧が第３電圧となっている消光期間中において第３配線の電圧が第５電圧となっている時に、第１配線の電圧を第１電圧から第２電圧に上げたのちに第２電圧から第１電圧に下げることにより、第１トランジスタのオン期間を設けるようにしたものである。
【手続補正５】
【補正対象書類名】明細書
【補正対象項目名】００１６
【補正方法】変更
【補正の内容】
【００１６】
本発明の第１の表示装置、電子機器および表示装置の駆動方法では、第２配線の電圧が第３電圧となっている消光期間中において、第３配線の電圧が第５電圧となっている時に、第１配線の電圧が第１電圧から第２電圧に上げられたのちに第２電圧から第１電圧に下げられ、第１トランジスタのオン期間が設けられる。
また、本発明の第２の表示装置では、発光素子が消光状態にあり、かつ信号線に映像信号が印加されていない期間内に、第１トランジスタのオン期間が設けられる。
これにより、第１トランジスタのＶth（閾値電圧）におけるプラスシフト（正電圧方向への変動）が促進され、従来の第１トランジスタのＶthにおけるマイナスシフト（負電圧方向への変動）との変動分の相殺が可能となる。したがって、第１トランジスタのＶth変動が抑えられ、そのようなＶth変動に起因した書き込み時間の長時間化による経時的な発光電流値の低下促進が抑えられる。
【手続補正６】
【補正対象書類名】明細書
【補正対象項目名】００１７
【補正方法】変更
【補正の内容】
【００１７】
本発明の第１の表示装置、電子機器および表示装置の駆動方法によれば、第２配線の電圧が第３電圧となっている消光期間中において第３配線の電圧が第５電圧となっている時に、第１配線の電圧を第１電圧から第２電圧に上げたのちに第２電圧から第１電圧に下げることにより第１トランジスタのオン期間を設けるようにしたので、第１トランジスタのＶth変動が抑えられ、経時的な発光電流値の低下促進を抑えることができる。よって、従来よりも信頼性を向上させることが可能となる。
また、本発明の第２の表示装置によれば、発光素子が消光状態にあり、かつ信号線に映像信号が印加されていない期間内に、第１トランジスタのオン期間を設けるようにしたので、第１トランジスタのＶth変動が抑えられ、経時的な発光電流値の低下促進を抑えることができる。よって、従来よりも信頼性を向上させることが可能となる。
【手続補正７】
【補正対象書類名】明細書
【補正対象項目名】００２４
【補正方法】変更
【補正の内容】
【００２４】
周辺回路部２０は、タイミング制御回路２１（制御部）と、水平駆動回路２２（第３駆動部）と、書き込み走査回路２３（第１駆動部）と、電源走査回路２４（第２駆動部）とを有している。タイミング制御回路２１は、表示信号生成回路２１Ａと、表示信号保持制御回路２１Ｂとを含んでいる。また、周辺回路部２０には、ゲート線ＷＳＬ（第１配線）と、ドレイン線ＤＳＬ（第２配線）と、信号線ＤＴＬ（第３配線）と、グラウンド線ＧＮＤ（第４配線）とが設けられている。なお、グラウンド線ＧＮＤは、グラウンドに接続されており、グラウンド電圧（参照電圧）に設定される。
【手続補正８】
【補正対象書類名】明細書
【補正対象項目名】００２６
【補正方法】変更
【補正の内容】
【００２６】
表示信号保持制御回路２１Ｂは、表示信号生成回路２１Ａから出力された表示信号２１ａを１画面ごと（１フィールドの表示ごと）に、例えばＳＲＡＭ（Static Random Access Memory）などから構成されたフィールドメモリに格納して保持するものである。この表示信号保持制御回路２１Ｂはまた、各画素１１を駆動する水平駆動回路２２、書き込み走査回路２３および電源走査回路２４が連動して動作するように制御する役割も果たしている。具体的には、表示信号保持制御回路２１Ｂは、書き込み走査回路２３に対しては制御信号２１ｂを、電源走査回路２４に対しては制御信号２１ｃを、水平駆動回路２２に対しては制御信号２１ｄをそれぞれ出力するようになっている。
【手続補正９】
【補正対象書類名】明細書
【補正対象項目名】００３８
【補正方法】変更
【補正の内容】
【００３８】
（Ｖｔｈ補正準備期間）
最初に、図中のタイミングｔ１０１〜ｔ１０３において、Ｖｔｈ補正の準備を行う。具体的には、まず、電源走査回路２４がドレイン線ＤＳＬの電圧をＶccからＶiniに下げる（タイミングｔ１０１）。すると、ソース電圧ＶsがＶiniまで下がり、有機ＥＬ素子１２Ｒ等が消光する。このとき、保持容量Ｃsを介したカップリングによりゲート電圧Ｖgも下がる。次に、信号線ＤＴＬの電圧がＶofsとなっている間に、書き込み走査回路２３がゲート線ＷＳＬの電圧をＶoffからＶonに上げる（タイミングｔ１０２）。すると、ゲート電圧ＶgがＶofsまで下がる。なお、このタイミングｔ１０１〜ｔ１０２の期間は、後述するように、トランジスタＴWSに対する逆バイアス電圧印加期間となっている。
【手続補正１０】
【補正対象書類名】明細書
【補正対象項目名】００６５
【補正方法】変更
【補正の内容】
【００６５】
また、上記実施の形態等では、水平駆動回路２２、書き込み走査回路２３および電源走査回路２４の駆動を表示信号保持制御回路２１Ｂが制御していたが、他の回路がこれらの駆動を制御するようにしてもよい。また、水平駆動回路２２、書き込み走査回路２３および電源走査回路２４の制御は、ハードウェア（回路）で行われていてもよいし、ソフトウェア（プログラム）で行われていてもよい。